(57)【要約】  地震、強風と津波に耐える逆向きほぞの建物構造及びその技術プロセスであり、逆向きの押圧結合されたほぞ構造を採用し、ほぞリングを本館のリングガーダーと基礎グランドの間の分割空間に蟄居させ、本館をグラウンドビームの上に吊り下げるように押圧結合させ、逆向きほぞがまるで眠っているドラゴンのように本構造を経過したいずれの地の律動、風の侵入と潮の押し寄せを捕える。前記地の律動には、地震の方向においての縦波と横波、形状においての扇形波、スイング波とクロール波が含まれ、前記風の侵入には、複合風力の中で風力トルクの垂直と提携が含まれ、前記潮の押し寄せには、津波潮汐による推進が含まれる。形のあるほぞの移動により上記の三種類の無形の災害エネルギーを捕えることで、建物と基礎の変位における破壊を交換し、建物の損傷を排除し、元々再建しなければならない三脚ベアリングほぞ浮きの基礎と解体工事と工事建設をすべて免除する。本構造および技術プロセスは多分野で使用でき、新築建物の耐震プリセットと既存建物の補強を体系的に解決するとともに、地震、津波および強風の破壊を除去するための包括的なソリューションを提供する。【選択図】図４３
2019521267.tif 000002
【特許請求の範囲】
【請求項１】
地震、強風と津波に耐える逆向きほぞの建物構造であって、
サイズに関する符号がつけられていない、異なる直径のもので混在されるほぞを、建物と基礎の構造物との分割空間に逆向きさせることによって、上記の建物と基礎との間にエネルギーの押圧結合の関係を形成し、所属するアースリングビーム（Earth ring beam）の受容体と集束関係を形成し、受容されるほかのほぞと圧迫、流動、摩擦の関係を形成し、
上記の地震、強風と津波という三種類の災害のいずれかがかかる方向からエネルギーを持って侵入した場合、この逆向きほぞの集束状態と押圧結合が破壊され、ほぞの逆向きに離合、遊離、解体、補充結合、再生、再建が発生され、そのうち、離合、遊離、解体はツーライン（two line）ほぞメカニズムによって完成され、事前に設けられたほぞによって建物のライフサイクルの防災が完成され、段階的に有効になり、
補充結合、再生、再建はほぞ補充メカニズムによって完成され、補充ほぞとほぞの直径の調整とによって建物のライフの無限性と免災の拡大性が実現され、恒久的な有効になり、揺れが強いほど強くなり、
新築建物には、整合して設けられ、
旧築建物には、救済する方法で、または、全体のものを分割してステップバイステップで設置し、
地震が頻繁で活発な地域、季節風のゾーンと候風のゾーンの旧築は、分割結合の方法で埋め込むか、または、貼り付けて複合するか、または、携帯して離れる方式で浸透され、
これによって、目に見えない災害のエネルギーを形があるほぞの移動により捕えることで、建物と基礎の変位による破壊を防止することが可能であることを特徴とする逆向きほぞの建物構造。
【請求項２】
前発明の鼎ベアリングほぞ浮きの構造より淘汰された、サイズに関する符号がつけられていないほぞは、それらの直径に従って分類され、
直径が１ｃｍよりわずかに小さいほぞは大豆ほぞと呼ばれ、黄豆に似た直径のほぞは黄豆ほぞと呼ばれ、緑豆に似た直径のほぞは緑豆ほぞと呼ばれ、小麦粒に似た直径のほぞは小麦粒ほぞと呼ばれ、屑米に似た直径のほぞは屑米ほぞと呼ばれ、粟米に似た直径のほぞは粟米ほぞと呼ばれ、
これらのほぞはふるいメッシュを使用し分類されることを特徴とする請求項１に記載の建物構造の技術プロセス。
【請求項３】
逆向きほぞの構造はツーラインほぞ補充メカニズムを採用し、即ち、ほぞ層が広げられた後、前記ほぞ枠の周囲のほぞの平面に１−３号ほど直径のサイズが小さいほぞを一回り入れ、前記ほぞに対するタッピング（tamping）において、上記サイズが小さいほぞが高密度で小さい直径をもっているためほぞ枠の端のほぞ隙間に沈められ、状態の変化を待つことになり、
縦波のない地震が発生された場合、押圧結合されたほぞは滑りながら溝内で移動し、
小さな縦波を伴う地震が発生された場合、直径の小さいほぞが押出によって先にグラウンドビームウォールスカート(ground beam wall skirt)の下に浸透され、ウォールスカートを拡張し、即ち、建物のベアリング面と滑り面に浸透され、建物と基礎が大きな滑り面で結合し、
大きな縦波を伴う地震が発生された場合、押圧結合されたほぞが解体され、直径の大きいほぞがグラウンドビームウォールスカートの下に浸透され、より効果的なほぞの移動が発生されることを特徴とする請求項１に記載の建物構造の技術プロセス。
【請求項４】
逆向きほぞの収納度と直径の選択はほぞ補充メカニズムを採用し、建物のベアリングポイントと必要な部位にほぞ補充シリンダーを追加設置し、ほぞ補充シリンダー内のほぞと押圧結合されたほぞとが一体になっており、滑りほぞと同じ頻度でほぞの流失を補完し、
ほぞ補充シリンダーはほぞが出るのを止めるためのほぞ止めルーズリーフを有し、何度も追加することができ、補充ほぞの直径は地震の影響の除去を保証するために必要条件に従って調節することができ、建物の滑りほぞの逆比率は揺れが強いほど免震の機能は強くなることを特徴とする請求項１に記載の建物構造の技術プロセス。
【請求項５】
逆向きほぞの構造の押圧結合面の表面は非常に滑らかであり、すべての地面、壁面は摩擦がない状態であり、圧力層の二元合成と一元合成で同じ噛合力と接合力が形成され、
そのほぞを置くための滑らかな表面はガラススチール金型によって取得され、
その噛み合う粗い面はコンクリートと非固化粘土モルタルによって同じ金型でコンパートメント取得され、
すべての必要なほぞブロッキングプレート、ほぞプレスプレート、ほぞプレス翼のほぞブロッキングプレート、ガルウィングプレート、ほぞ補充シリンダー、片面枠、四辺枠、ほぞ収納台が含まれることを特徴とする請求項１に記載の建物構造の技術プロセス。
【請求項６】
逆向きほぞのグランドとビームとの交差部に分割線以上の構造的隙間が存在し、製造する時、コンクリートを鋳造する前にプラスチックフィルムで覆われた膨張した合板又は膨張した薄木板を配置し、本館が完成された後に乾燥収縮されている状態で取り出され、構造分割線は木材とコンクリートのツーラインの収縮によって取得され、
ほぞと接触するグラウンドビームの表面はほぞとフィルムを隔てて互いに合い、コンクリートのグラウンドビームを鋳造する前に覆われたプラスチックフィルムによって取得されることを特徴とする請求項１に記載の建物構造の技術プロセス。
【請求項７】
全体のものをばらばらにする方法で旧築の粘土建物、れんが造りのオープンポケット型建築物、
混合建物、高床式建物、石造建物、及び規制のない「手抜き」工事の救助における逆向きほぞについてステップインプランし、
まず、グランドに遊離グランドを作り、本館にリングガーダーとフレームせん断フレームを追加し、リングガーダーを追加する場合は、セグメント化された型板を共通の金型にまとめた後、設計の要件に従ってグラウンドビームを番号付け、グラウンドビームを鋳造する時に非固化粘土モルタルでグラウンドビームの型枠へ充填し、コンクリートを用いてフレームせん断フレームへ充填し、
フレームせん断フレームが固化された後、粘土グラウンドビームに対して設計番号に従ってコンクリート構造の置換を行い、
全体のものをばらばらにする方法で置き換え、
無板式の現場打ち、ほぞプレスプレート、ほぞブロッキングプレートの押圧結合によるツーラインほぞ或いは補充ほぞの技術で置き換えることを特徴とする請求項１に記載の建物構造の技術プロセス。
【請求項８】
古城、古いハイツ建物の改造は分割結合の方法で埋め込み方法を採用し、
まず、非衝撃力で古いグラウンドビームの耐荷重ポイントのコンクリートを破壊し、スラグを洗浄し、破壊の時に元のグラウンドビームのスチールフレームを保留し、スチールフレームの支点の下で遊離グランドを再建し、遊離グランドの厚さは元の壁の厚さの３倍以上であることを基準とし、四つの膨張した木材を元のビームの下に四周置き、フィルムを覆い、屑米ほぞを入れ、ほぞプレスプレートに移入し、ほぞ補充シリンダーを取り付け、すべての連結鉄筋をしっかりと結び、型板をプレスし、コンクリートに入れ、
ほぞ補充シリンダーへほぞを補完し、振動タッピングし、ほぞ止めルーズリーフを取り付けた後に振動棒によって型内のコンクリートをタッピングし、
コンクリートが硬化メンテナンスされた後、乾燥収縮されている木材を取り出し、各ほぞプレスプレートの間の元のグラウンドビームについて建物と基礎を切り離すための切断を行い、鋼片の切断工程と埋設工程を同時に行い、竣工された後に鋼片を一個ずつ除去することを特徴とする請求項１に記載の建物構造の技術プロセス。
【請求項９】
高層建物の改造は切り裂きなしの複合型のスティックイン方法を採用し、
まず、遊離グランドを再建し、次に、壁ベースで建物と基礎の分割線を切り、内側と外側の鉄筋を接続するための穴を開け、分割線と遊離グランドの間に落差がなく、
分割線と下の壁の掘削孔の間に１０ｃｍの落差があり、
同期に鋼片を壁に埋め込んだ後、余分な部分を切り取り、予め作られたほぞ収納枠を設計位置に移入し、型の中で組み合わた後、膨張した板を覆い、プラスチックフィルムを覆い、グラウンドビームの鉄筋とすべての連結鉄筋を結び、枠にほぞを入れ、ほぞ枠の周囲に直径の小さいほぞを一回り追加し、
壁の掘削孔を湿らせ、純粋なセメントペーストを絞り、型枠にコンクリートを入れ、ほぞ収納台を枠内に移入し、補充ほぞをつぼの中に追加し、振動棒によってタッピングし、ほぞカバープレートを覆い、
全負荷になるまで振動棒によってコンクリートをタッピングし、竣工された後に乾いた木材を取り出すことにより、本グラウンドビームにおける逆向きほぞは風と地震に対抗できることを特徴とする請求項１に記載の建物構造の技術プロセス。
【請求項１０】
遊離グランドの周辺へに対する移動範囲の制限は、適切な勾配と距離を備えた滑り止め斜面を提供し、複合風力や津波潮汐による本館の無限の水平方向のドリフトを止め、滑り止め斜面の制限で本館は縦方向の揚力エネルギー消費で横方向の変位の重ね合わせを代わることを特徴とする請求項１に記載の建物構造の技術プロセス。
【発明の詳細な説明】
【技術分野】
【０００１】
本発明は、地震、津波と超強風における建物の耐震性、防湿性、防風技術及び構造の組み合わせに関する。大きくは、新築建物のプレインストールと既存建物の補強の二種類が含まれる。
【背景技術】
【０００２】
鼎ベアリングほぞ浮き（中国語：鼎承卯浮）の建物構造；「グラウンド建物：地震、津波及び超強風の災害における液体タンクの防災及び保全の包括的なソリューション及びその構造と施設」。ＰＣＴ／ＣＮ２０１６／０００３７２；１１・７月・２０１６。
【発明の概要】
【０００３】
逆向きほぞの建物構造及び本構造を実施するための技術プロセスは下記の通りである。逆向きほぞ（Inverted fastening mortise）は、サイズに関する符号がつけられていない、点在するほぞを統合する方法、又は、全体のものをばらばらにする方法で本館とベアリング基礎構造の間に集束され分割結合の方法でなるようにする。上向きへは本館の垂下力に耐えるように、下向きへはグランドの反発力を相殺するように、外向きへはリングガーダーの強固な密封力によって押されるように、内向きへは同じ種類のほぞの押出と摩擦力によって限定される。自身の自然属性と地球の物理属性とを特定の局部の空間に共存させることにより、構造の分合型とエネルギーの予約型を作り上げる。
【０００４】
上記の三種類のタイプの災害のいずれかがその方向とエネルギーで本構造に侵入した場合、本構造の集束性と押圧結合性が破壊され、押圧結合力を失った押圧結合されたほぞは伏合ほぞになって、その滑り性と移動性の性能が釈放され、移動ほぞの滑りは建物と基礎の間の空間的変位を補償し、侵入されたエネルギーの衝突を相互に作用させる。本構造を経過したいずれの地の律動、風の侵入と潮の押し寄せはすべて本構造において捕え、融和される。
【０００５】
新築建物のプレインストールと既存建物の補強、歴史的な古い土木建物、規制のない「手抜き」工事の救助プロジェクトが含まれる。地震活動帯、季節風のゾーンと候風ゾーンの建物について、災害後のほぞ流失実施補充メカニズムを採用することにより，ほぞの集束状態と押圧結合性の特徴を再び取り戻し、災害に対する物理的効果を永遠に残させる。
【図面の簡単な説明】
【０００６】
【図１】図1は、中国の伝統的な粘土建物、最も倒壊やすい建物の耐震効果図であり、歴史上の合板の練り土建物、土塊の積み上げ建物、石塊の積み上げ建物と高床式建物が含まれる。本発明に係る逆向きほぞ構造に加えて、既に広く適用されている構造ビーム、柱及びフレームせん断フレームもを示す。
【図２】図２は、中国の伝統的な粘土建物、最も倒壊やすい建物の耐震効果図であり、歴史上の合板の練り土建物、土塊の積み上げ建物、石塊の積み上げ建物と高床式建物が含まれる。本発明に係る逆向きほぞ構造に加えて、既に広く適用されている構造ビーム、柱及びフレームせん断フレームもを示す。
【図３】図３は、中国の伝統的な粘土建物、最も倒壊やすい建物の耐震効果図であり、歴史上の合板の練り土建物、土塊の積み上げ建物、石塊の積み上げ建物と高床式建物が含まれる。本発明に係る逆向きほぞ構造に加えて、既に広く適用されている構造ビーム、柱及びフレームせん断フレームもを示す。
【図４】図４は、中国の伝統的な粘土建物、最も倒壊やすい建物の耐震効果図であり、歴史上の合板の練り土建物、土塊の積み上げ建物、石塊の積み上げ建物と高床式建物が含まれる。本発明に係る逆向きほぞ構造に加えて、既に広く適用されている構造ビーム、柱及びフレームせん断フレームもを示す。
【図５】図５は、中国の伝統的な粘土建物、最も倒壊やすい建物の耐震効果図であり、歴史上の合板の練り土建物、土塊の積み上げ建物、石塊の積み上げ建物と高床式建物が含まれる。本発明に係る逆向きほぞ構造に加えて、既に広く適用されている構造ビーム、柱及びフレームせん断フレームもを示す。
【図６】図６は、中国の伝統的な粘土建物、最も倒壊やすい建物の耐震効果図であり、歴史上の合板の練り土建物、土塊の積み上げ建物、石塊の積み上げ建物と高床式建物が含まれる。本発明に係る逆向きほぞ構造に加えて、既に広く適用されている構造ビーム、柱及びフレームせん断フレームもを示す。
【図７】図７は、中国の伝統的な粘土建物、最も倒壊やすい建物の耐震効果図であり、歴史上の合板の練り土建物、土塊の積み上げ建物、石塊の積み上げ建物と高床式建物が含まれる。本発明に係る逆向きほぞ構造に加えて、既に広く適用されている構造ビーム、柱及びフレームせん断フレームもを示す。
【図８】図８は、中国の伝統的な粘土建物、最も倒壊やすい建物の耐震効果図であり、歴史上の合板の練り土建物、土塊の積み上げ建物、石塊の積み上げ建物と高床式建物が含まれる。本発明に係る逆向きほぞ構造に加えて、既に広く適用されている構造ビーム、柱及びフレームせん断フレームもを示す。
【図９】図９は、本逆向きほぞ構造の耐力壁のリングガーダー構造の建築前構造の平面図と閉鎖状態の平面図を示す。
【図１０】図１０は、本逆向きほぞ構造の耐力壁のリングガーダー構造の建築前構造の平面図と閉鎖状態の平面図を示す。
【図１１】図１１は、本構造の要件を満たすために予め作る必要があるほぞブロッキングボードを示す。
【図１３】図１３は、壁とウォールスカートの耐荷重のリングガーダーの建築前構造の平面図を示す。
【図１２】図１２は、本構造の実施により達成される逆向きほぞの壁の耐荷重を示す。
【図１４】図１４は、この効果を達成するために予め作る必要があるウォールスカートリブ付きのほぞブロッキングプレート及びアダプターボルトを示す。
【図１５】図１５は、本構造の実施におけるグラウンドビームのウォールスカートの耐荷重を示す。
【図１６】図１６は、同じタイプの既存の旧築及び基礎の状況を示す。
【図１７】図１７は、同じタイプの既存の旧築及び基礎の状況を示す。
【図１８】図１８は、本構造の遊離グランドを追加建築した本館と基礎を示す。
【図１９】図１９は、本構造の遊離グランドを追加建築した本館と基礎を示す。
【図２０】図２０は、フレームせん断フレームを追加建築した後、リングガーダーのプレインストール及び全体のものをばらばらにする方法でインプランした場合の概略図を示す。
【図２１】図２１は、フレームせん断フレームを追加建築した後、リングガーダーのプレインストール及び全体のものをばらばらにする方法でインプランした場合の概略図を示す。
【図２２】図２２は、フレームせん断フレームを追加建築した後、リングガーダーのプレインストール及び全体のものをばらばらにする方法でインプランした場合の概略図を示す。
【図２３】図２３は、フレームせん断フレームを追加建築した後、リングガーダーのプレインストール及び全体のものをばらばらにする方法でインプランした場合の概略図を示す。
【図２４】図２４は、救済に成功した後、分割線をコアとした建築製品を示す。
【図２５】図２５は、救済に成功した後、分割線をコアとした建築製品を示す。
【図２６】図２６は、救済に成功した後、分割線をコアとした建築製品を示す。
【図２７】図２７は、救済に成功した後、分割線をコアとした建築製品を示す。
【図２８】図２８は、該建築製品の施工を完了させるために、事前に準備すべきほぞプレスプレートを示す。
【図２９】図２９は、無縦波地震又は縦波、横波の交互の地震における壁の耐荷重とウォールスカートの耐荷重の耐震効果図を示す。
【図３０】図３０は、無縦波地震又は縦波、横波の交互の地震における壁の耐荷重とウォールスカートの耐荷重の耐震効果図を示す。
【図３１】図３１は、無縦波地震又は縦波、横波の交互の地震における壁の耐荷重とウォールスカートの耐荷重の耐震効果図を示す。
【図３２】図３２は、無縦波地震又は縦波、横波の交互の地震における壁の耐荷重とウォールスカートの耐荷重の耐震効果図を示す。
【図３３】図３３は、無縦波地震又は縦波、横波の交互の地震における壁の耐荷重とウォールスカートの耐荷重の耐震効果図を示す。
【図３４】図３４は、無縦波地震又は縦波、横波の交互の地震における壁の耐荷重とウォールスカートの耐荷重の耐震効果図を示す。
【図３５】図３５は、無縦波地震又は縦波、横波の交互の地震における壁の耐荷重とウォールスカートの耐荷重の耐震効果図を示す。
【図３６】図３６は、無縦波地震又は縦波、横波の交互の地震における壁の耐荷重とウォールスカートの耐荷重の耐震効果図を示す。
【図３７】図３７は、無縦波地震又は縦波、横波の交互の地震における壁の耐荷重とウォールスカートの耐荷重の耐震効果図を示す。
【図３８】図３８は、無縦波地震又は縦波、横波の交互の地震における壁の耐荷重とウォールスカートの耐荷重の耐震効果図を示す。
【図３９】図３９は、城の建物及びハイツ建物の耐震概略図を示す。
【図４０】図４０は、該製品の施工前に、事前に準備すべきガルウィングプレートを示す。
【図４１】図４１は、ガルウィングプレートを使用し、ほぞ補充シリンダーを追加したリングガーダーの側面図及び平面図を示す。
【図４２】図４２は、ガルウィングプレートを使用し、ほぞ補充シリンダーを追加したリングガーダーの側面図及び平面図を示す。
【図４３】図４３は、地震における本構造の効果図を示す。
【図４４】図４４は、地震における本構造の効果図を示す。
【図４５】図４５は、地震における本構造の効果図を示す。
【図４６】図４６は、地震における本構造の効果図を示す。
【図４７】図４７は、古城を救済するためにプレインストールすべきほぞプレスプレートを示す。
【図４８】図４８は、本構造を古城に適用した後、建物と基礎の分割結合の方法でおける立体図及び平面図を示す。
【図４９】図４９は、ほぞ補充メカニズムに必要なほぞ補充シリンダーを示す。
【図５０】図５０は、本構造を古城に適用した後、建物と基礎の分割結合の方法でおける立体図及び平面図を示す。
【図５１】図５１は、地震における本製品の効果図を示す。
【図５２】図５２は、地震における本製品の効果図を示す。
【図５３】図５３は、地震における本製品の効果図を示す。
【図５４】図５４は、地震における本製品の効果図を示す。
【図５５】図５５は、既にリングガーダーを有する古城及びハイツ建物に対して、より便利で実用的な改善目安を示す。
【図５６】図５６は、元のリングガーダーを改善するための目安を示す。
【図５７】図５７は、中高層建物又は高層建物の側面図及びグラウンドベアリングの断面図を示す。
【図５８】図５８は、中高層建物又は高層建物の側面図及びグラウンドベアリングの断面図を示す。
【図５９】図５９は、ベアリング柱構造に対して行う施設的救済における２つの方法を示す。
【図６０】図６０は、ベアリング柱構造に対して行う施設的救済における２つの方法を示す。
【図６１】図６１は、壁の耐荷重の救済術を実施するためのほぞの補充時にグラウンドビームにおける片面枠、ほぞを収納できる片面ほぞ収納台及びほぞカバープレートを示す。
【図６２】図６２は、追加された遊離グランド及びリングガーダーにおいて壁と係合している壁の掘削孔及び基礎分割の切断線を示す。
【図６３】図６３は、壁の耐荷重の救済術を実施するためのほぞの補充時にグラウンドビームにおける片面枠、ほぞを収納できる片面ほぞ収納台及びほぞカバープレートを示す。
【図６４】図６４は、元の建物に配合された壁ベアリング型のリングガーダー、補充ほぞ、ほぞ収納台及び本館が後部ベアリング基礎の遊離グランドに対する地震における相互作用を示す。
【図６５】図６５は、元の建物に配合された壁ベアリング型のリングガーダー、補充ほぞ、ほぞ収納台及び本館が後部ベアリング基礎の遊離グランドに対する地震における相互作用を示す。
【図６６】図６６は、元の建物に配合された壁ベアリング型のリングガーダー、補充ほぞ、ほぞ収納台及び本館が後部ベアリング基礎の遊離グランドに対する地震における相互作用を示す。
【図６７】図６７は、元の建物に配合された壁ベアリング型のリングガーダー、補充ほぞ、ほぞ収納台及び本館が後部ベアリング基礎の遊離グランドに対する地震における相互作用を示す。
【図６８】図６８は、元の建物に配合された壁ベアリング型のリングガーダー、補充ほぞ、ほぞ収納台及び本館が後部ベアリング基礎の遊離グランドに対する地震における相互作用を示す。
【図６９】図６９は、元の建物に配合された壁ベアリング型のリングガーダー、補充ほぞ、ほぞ収納台及び本館が後部ベアリング基礎の遊離グランドに対する地震における相互作用を示す。
【図７０】図７０は、ウォールスカートの耐荷重の救済術を実施するためのほぞの補充時におけるグラウンドビームの四辺枠、ほぞを収納できる四辺ほぞ収納台を示す。
【図７１】図７１は、ウォールスカートの耐荷重の救済術を実施するためのほぞの補充時におけるグラウンドビームの四辺枠、ほぞを収納できる四辺ほぞ収納台を示す。
【図７２】図７２は、本館及び二重基礎のグラウンドビームのために設計された壁の掘削孔及び分割位置の切断線を示す。
【図７３】図７３は、ウォールスカートの耐荷重のグラウンドビームを追加した後の本館、及びほぞ収納台、補充ほぞと二重基礎の遊離グランドとの間の地震における相互作用を示す。
【図７４】図７４は、ウォールスカートの耐荷重のグラウンドビームを追加した後の本館、及びほぞ収納台、補充ほぞと二重基礎の遊離グランドとの間の地震における相互作用を示す。
【図７５】図７５は、ウォールスカートの耐荷重のグラウンドビームを追加した後の本館、及びほぞ収納台、補充ほぞと二重基礎の遊離グランドとの間の地震における相互作用を示す。
【図７６】図７６は、ウォールスカートの耐荷重のグラウンドビームを追加した後の本館、及びほぞ収納台、補充ほぞと二重基礎の遊離グランドとの間の地震における相互作用を示す。
【図７７】図７７は、ウォールスカートの耐荷重のグラウンドビームを追加した後の本館、及びほぞ収納台、補充ほぞと二重基礎の遊離グランドとの間の地震における相互作用を示す。
【図７８】図７８は、ウォールスカートの耐荷重のグラウンドビームを追加した後の本館、及びほぞ収納台、補充ほぞと二重基礎の遊離グランドとの間の地震における相互作用を示す。
【図７９】図７９は、基礎を追加した後の二重基礎と、リサークルリングガーダーや補充ほぞや滑り止め斜面を追加した建物、基礎ベアリングの状況を示す。
【図８０】図８０は、基礎を追加した後の二重基礎と、リサークルリングガーダーや補充ほぞや滑り止め斜面を追加した建物、基礎ベアリングの状況を示す。
【図８１】図８１は、超強風に見舞われた本館に滑り止め斜面の滑り辺が追加された後、本館の複合垂直力のシフト且つつぼの内部における建物、基礎及びほぞの相互作用を示す。
【図８２】図８２は、風が止んだ後、本館が複合垂直力で自動的に調整さ元の位置に戻る状況を示す。
【図８３】図８３は、津波の潮汐により動かされた後、本館が全体滑り、ほぞ補充及び滑り止め斜面により停止される状況を示す。
【０００７】
図面の説明を明確にするために、図面において、災害に対して誇張の手法を使用している。現実の生活の中では、そのように大きな災害は起こらない。図面において、太い矢印は震災の波を表し、小さな矢印は補充ほぞ線を表し、細い矢印は風力トルク線を表し、点線の矢印は複合風力線と津波潮汐の線を表し、矢印のない線は機能的な線である。
【発明を実施するための形態】
【０００８】
まず、サイズに関する符号がつけられていない、ほぞの分類を確定する。候補となるほぞは生地が堅くて、比重が大きいはずである。直径は1cm未満であり、粒の大きさによって名をつけられる。直径が１ｃｍよりわずかに小さいの場合は大豆ほぞと呼ばれ、直径が黄豆と似た場合は黄豆ほぞと呼ばれ、直径が緑豆と似た場合は緑豆ほぞと呼ばれ、小麦粒と似た場合は小麦粒ほぞと呼ばれ、屑米と似た場合は屑米ほぞと呼ばれ、粟米と似た場合は粟米ほぞと呼ばれる。
【０００９】
次に、新築建物のプレインストールは統合する方法でワンステップに介入し、旧築の再建や救済は全体のものを分割して設ける方法でステップバイステップで設け、分割結合の方法で埋め込むか、または、貼り付けて複合するか、または、携帯して離れる方式で浸透される。
そのうち、逆向きほぞの建物、基礎の分合割れ目が細長いのは線分割であり、グラウンドビームの耐荷重は壁の耐荷重を指す。即ち、壁の足を支点にし、ウォールスカートの下においてほぞなしで移動する。分合割れ目が太いのはスペース分割であり、グラウンドビームの耐荷重はウォールスカートの耐荷重を指す。即ち、グラウンドビームウォールスカートを支点にし、スタンド移動面は元の基礎よりはるかに広く、ウォールスカートの下においてほぞの移動がある。
【００１０】
異なる災害と異なる防災効果によって、本発明におけるほぞなし補充メカニズムとほぞあり補充メカニズムは、逆向きほぞとして段階的有効と恒久的有効の二種類になるようにする。
体に合わせて服を作る仕立て屋のように、症状を当てて処方を决める医者のように、建築家は異なる災害に従って形而上学にかってに選択するのではなく弁証的に選択すべきである。
選択的には、以下をおすすめする。
【００１１】
新築の倒壊しやすい住宅における統合型の免震介入
逆向きほぞ１の技術プロセスは以下の通りである。図１１に示すように、ほぞブロッキングコンクリートプレートを鋳造し、コンクリートプレートの上向き粗面と外向き粗面には露出鉄筋を保留し、下向き平滑面と内向き平滑面のプレート面には固定とロックに使用されるはねじ穴がある。コンクリートプレートの高さはリングガーダーの５０％であるべきであり、厚さは４-５ｃｍであるべきであり、長さはお互いに異なり、反対側のコンクリートプレートと交差する方法で接続されている。平滑面はガラススチール金型か鋼プレート金型によって作成され、粗面は粘土モルタルかコンクリートスラリーによって同じ金型で分かれている。メンテナンス後、きれいになるまで洗浄する。
【００１２】
リングガーダーの建物とベアリング基礎には、内部及び外部の遊離グランドが含なれる。地震の自由波の波長を回避し、リングガーダー型を架設して置く。膨張した合板を同じ平面にある金型の内部に入れる。合板を上へ移動し、ほぞブロッキングプレートに移入し、内側の滑らかな面と外側の粗い面に分け、両側はボルトで固定且つロックする。二枚のプレートの間はほぞの溝であり、二枚のプレートの外側はリングガーダーのウォールスカートである。ほぞの溝中の合板を取り除き、金型の内部の合板にプラスチックフィルムを覆い、切り口に達するまで大豆ほぞを溝内に入れ、リングガーダーの鉄筋及び保留露出鉄筋を結び、プレートの切り口までコンクリートを充填する。黄豆ほぞの両側にそれぞれ二つの屑米ほぞを入れ、黄豆ほぞをタッピングする。溝に黄豆ほぞを追加してリッジパンの形を作り、プラスチックフィルムを覆い、それを石で押し伸ばす。全負荷になるまで両側から中央まで金型にコンクリートを充填する。ほぞの上のフィルムを慎重に保護しながら、振動棒によってコンクリートをタッピングする。
【００１３】
本館が完成されたら、乾燥収縮されている合板を取り出す。図１２の耐震グラウンドビームは、フレームせん断フレームで固定されたあらゆる倒壊しやすい建物に適する。
逆向きほぞ２の技術プロセスは以下の通りである。図１４と同様の方法によって、ほぞプレス翼を備えたほぞほぞブロッキングプレートを製作する。グラウンドビーム1と同じプロセスで、翼を備えたほぞほぞブロッキングプレートの内側は滑らかな面であり、外側は粗い面であり、外側の細くなった合板と内側の屑米ほぞの層上に広がる。ボルトで固定し、ほぞの溝を作る。グラウンドビームの型枠を架設し、鉄筋及び保留露出鉄筋を結ぶ。ほぞの中の余分な屑米ほぞを取り除き、切り口まで緑豆ほぞを入れ、切り口までなるようにコンクリートを型枠に充填する。緑豆ほぞの両側に二周の屑米ほぞを入れ、タッピングする。リッジパンの形になるまで黄豆ほぞを追加し、プラスチックフィルムを覆い、石で押し伸ばす。全負荷になるまで両側から中央まで金型にコンクリートを充填する。ほぞの上のフィルムを慎重に保護しながら、振動棒によってコンクリートをタッピングする。本館が完成されたら、両側の細い合板を取り出す。図１５の耐震性グラウンドビームは、耐震期におけるウォールスカートの耐荷重やウォールスカートの滑りの点でグラウンドビーム１よりも効果的である。
【００１４】
既存の建物の免震、「手抜き」工事の救助における全体のものをばらばらにする補強
粘土建物、れんが造りのオープンポケット型建築物、混合建物、高床式建物、石造建物の既存の建物における逆向きほぞ３の技術プロセスは、上記のコンクリート建物と同じである。元の基礎の上に内側と外側の遊離グランドを建てられた後に、本館のフレームせん断フレームを追加建築する。まずグラウンドビームを追加し、次にフレームを追加するとき、グラウンドビーム部はセメントなしの非固化混合と灰色の粘土でセグメント金型に充填する。グラウンドビームの幅は壁の幅の3倍になるべきである。フレームせん断フレームが凝固された後に金型を除去する。その後、番号に従い中央から両側まで順番に、内側と外側同時に粘土グラウンドビームをコンクリートビームに変える。
【００１５】
非衝撃式掘削機により、取り除かれた粘土ビームの番号付き壁を掘削し、二つの穴の間に残った角を切り取り、残留物をきれいにした後に型枠を再度覆い、中央部のほぞがパンのように膨張するまで小麦粒ほぞを型枠に入れる。ほぞの盛り上がりをプラスチックフィルムで覆い、型枠の両側に近い位置で細い膨張した木板でフィルムを隔ててほぞの盛り上がりを絞り、残りのフィルムで木棒を覆う。カバーフィルムの左右両端のジョイントにそれぞれ複数の小袋のほぞを詰め込み、ほぞの漏れを防ぐために押出する。内側と外側のグラウンドビームの連結鉄筋を結び、小袋のほぞのフィルムを覆う。全負荷になるまで中央から両端までコンクリートをほぞの中に充填し、両端から中央まで振動棒によってコンクリートをタッピングする。番号に従い同様に操作する。
【００１６】
二つの部分を接続するときは、ほぞを入れた後に小袋のほぞの取り出す。ほぞを取り出した後に構造物が空にならないように、小袋のほぞを取り出すと同時にコンクリートを充填する。内壁と外壁の両方が同時に行われ、各耐力壁が同じ方法で行われる。図２６、図２７における追加グラウンドビームの耐震効果は、グラウンドビーム１及びグラウンドビーム２と同じである。
【００１７】
逆向きほぞ４の技術プロセスは以下の通りである。図２８に示すように、ほぞプレスプレートを予め作り、同様に上は滑らかな面であり、下が粗い面であり、露出鉄筋を保留する。番号付き壁を切断し、残渣を清掃した後、元の型枠内に屑米ほぞを一層の薄く展開し、ほぞプレスプレートを元の金型に移入し、内側と外側の両方にそれぞれ膨張した合板を詰める。ほぞプレスプレートを押出し、割れ目から溢れた余分な屑米ほぞを取り出す。小麦粒ほぞを入れ、割れ目の上に蒸しパン形の盛り上がりを作る。蒸しパン形の盛り上がりの上にプラスチックフィルムを覆い、石で押し伸ばす。グラウンドビームの内側と外側の連結鉄筋及び保留露出鉄筋を結び、型枠を覆い、全負荷になるまでコンクリートを中央から両端にかけて充填し、タッピングする。プロセスは前の段落と同じである。該当ほぞプレスプレートのグラウンドビームの地震におけるほぞの滑りは、新しい鋳造されたほぞなしプレートのグラウンドビームより強い。
【００１８】
逆向きほぞ５の技術プロセスは以下の通りである。セグメント金型と同じ長さである図１１の短いほぞブロッキングプレートを予め作る。四枚のプレートで壁内と壁外の二つのほぞの溝を分割し、壁の足やビームスカートやほぞブロッキングプレートの下を含めて膨張した合板を詰め、プラスチックフィルムで覆う。両者はいずれもほぞの溝へ伸ばさない。ほぞブロッキングプレートの内側は滑らかな面であり、外側は粗い面であり、ボルトを固定した後、切断壁とほぞブロッキングプレートの下側の位置の間に５ｃｍの隙間を保つ。グラウンドビームの内側と外側の連結鉄筋及び保留露出鉄筋を結び、壁の下の空のスロットに沿ってコンクリート充填し、耐力壁と接触するようにタッピングする。番号に従ってすべての壁の足を取り替えた後、小麦粒ほぞを内側と外側の滑り溝に入れ、小麦粒のほぞの両側に少量の粟米ほぞを入れ、ほぞの層をタッピングし、リッジパンの形になるように小麦粒のほぞを追加し、プラスチックフィルムを覆い、石で押し伸ばす。元の型枠を再び覆い、両側から壁に沿ってコンクリートを充填し、全負荷になったら振動棒によってタッピングする。
【００１９】
建設が完了した後、乾燥収縮されている合板を取り出す。本発明に係る逆向きほぞのグラウンドビームは、地震の縦波があるときは自動的にこぼれ、本館の壁の耐荷重が壁、ウォールスカートの共同のベアリングとなり、地震横波や大小縦波を捕えることになる。
【００２０】
逆向きほぞ６の技術プロセスは以下の通りである。同様に番号に従って固定点で切断し、壁の足の中の残留物を取り除く。遊離グランド上の内側と外側のほぞブロッキングプレートは、内側が滑らかで外側が粗い、壁を越えて立っている。膨張した合板を元の型及びほぞブロッキングプレートの下に詰め、プラスチックフィルムを覆う。壁の外縁とほぞブロッキングプレートとの間に外側に沿って３ｃｍの隙間があり、壁の下縁とほぞブロッキングプレートの間に下側に沿って３ｃｍの隙間がある。ボルトが固定された後、上端に達するまで小麦粒のほぞを滑り溝に入れ、小麦粒ほぞの両側に少量の粟米ほぞを入れる。小麦粒のほぞをタッピングし、高さを補足しないまま、ほぞの表面層にプラスチックフィルムを覆い、内側と外側のビームを結び、鉄筋を連結し、露出鉄筋を保留した後、型枠を覆い、ほぞを両側にほぞを押す。型にコンクリートを入れ、ほぞのフィルムを保護し、全負荷になるまで中央から両側までタッピングする。その後、番号に従ってグラウンドビームを取り替える。ほぞを失うことによって起こされる空を防ぐために、セグメントのグラウンドビームを変更するとき、先にほぞを入れ、次にほぞ袋を取り出す。全部の段落が密着されたら、乾燥収縮されている合板を取り出す。これにより、リングガーダー全体が浮き沈む。
本リングガーダーが地震縦波を受けると、元の本館の壁の耐荷重はウォールスカートの耐荷重と変換される。同期に地震における大小縦波、横波を捕える以外に、本逆向きほぞの滑り量がより多い。
【００２１】
城及びハイツ建物の統合耐震
逆向きほぞ７の技術プロセスは以下の通りである。図４０に示すように、ガルウィングプレートを予め作り、同様に内側は滑らかな面であり、外側は粗い面であり、露出鉄筋を保留する。リングガーダーに建てられた遊離グランドの上で、ガルウィングプレートは本館のベアリングに基づいてリングに接続され、角の余分な部分を切り取り、型枠を取り巻き、ガルウィングプレートの外側の脇の下の位置から型枠までそれぞれ膨張した合板を充填し、プラスチックフィルムを覆い、ほぞの溝にはみ出さず、割れ目からガルウィングプレートの脇下の位置まで屑米ほぞを入れる。リングガーダーの鉄筋及び保留露出鉄筋を結び、型枠の両側から中央までコンクリートを入れる。割れ目から振動棒によって屑米ほぞを振動させ、いっぱいになるまで小麦粒のほぞを埋め、型枠にコンクリートを追加し、割れ目にほぞ補充シリンダーを取り付け、保留露出鉄筋を結び、全負荷になるまで型枠にコンクリートを入れ、緑豆ほぞをほぞ補充シリンダーに入れ、コンクリートを振動させた後、シリンダー内のほぞを振動させるとともに、ほぞ止めルーズリーフをロックする。
【００２２】
本館が完了された後、乾燥収縮されている合板を取り出す。本発明におけるグラウンドビームの逆向きほぞは、本グラウンドビームを通るすべての地震波を捕えることができるだけでなく、流失されたほぞを補足することによって耐震機能を強化し、補充ほぞの直径を大きくし、揺れが強いほど免震の機能は強くなる。
【００２３】
古城、古いハイツ建物の免震救済
逆向きほぞ８の技術プロセスは以下の通りである。図４７及び４９に示すように、ほぞプレスプレート、ほぞ補充シリンダーを予め作る。同様にほぞ補充シリンダーの外は粗い面であり、裏は滑らかな面である。外部のグランドを基準に遊離グランドを再建する。遊離グランドが外部のグランドより低い場合は、下水道を見直すべきである。中央から両側へ番号順に壁を切断し、上の線から下の線へ、右から左へ余分な壁を切って、残余を清掃する。グラウンドビームのスチールフレームを結ぶ。屑米ほぞをカット部分の下に敷き込んだ後、ほぞプレスプレートの回りに約５ｃｍの細かい膨張した合板を置き、ほぞプレスプレートを移動し合板を押さえる。合板の上にセグメント化された層状の方法でリングガーダーを鋳造する。
【００２４】
まず、割れ目にほぞ補充シリンダーを取り付く。リングガーダーのスチールスケルトン及び保留露出鉄筋を結び、型枠を閉め、型枠の両端と周辺に小さなほぞ袋を入れ、鋳造されたコンクリートがこぼれないようにする。小さなほぞ袋の型の中にコンクリートを充填し、全負荷になるまでほぞ補充シリンダーに屑米ほぞを充填する。振動棒によってシリンダー内部のほぞをタッピングし、ほぞ止めルーズリーフを取り付ける。該部分の耐力壁がコンクリートで３ｃｍの高さに埋まるまで、ほぞ袋の型内のコンクリートをタッピングする。四方が連結されるまでこれらのステップを繰り返し、すべての小さなほぞ袋を取り出す。不足している部分に鉄筋コンクリート連結を追加し、全負荷になるまで型内にコンクリートを充填し、振動棒によってタッピングする。該逆向きほぞによれば、いずれの地震の横波と縦波を捕えることができ、いずれの流失されたほぞを補うことができる。本館が完了された後、乾燥収縮されている合板を取り出し、耐震の効果は永続的に存在する。
【００２５】
城のハイツ旧築、元のグランドと既存のグラウンドビームは一致、より簡単なローカル改造
逆向きほぞ９の技術プロセスは以下の通りである。まず、元の建物の壁の耐荷重をセグメントベアリングに換え、非衝撃型壁掘削機によって穴を開けた後に元の支点のコンクリートを破壊し、すべての壁の耐荷重と破壊された箇所のスチールフレームを保留する。残留物を除去した後、元の支点をコアとして遊離グランドを構築し、遊離グランド上の元の壁の厚さの３倍を超える厚さの基礎を構築する。即ち、内側と外側のグラウンドビームと元の壁の足の幅を標準の底とし、スチールフレームの下に幅５ｃｍの膨張した合板を四枚配置し、新しいグラウンドビームの周囲を形成される。屑米ほぞを円周の内側に入れ、ほぞプレスプレートを移入し、割れ目に合わせてほぞ補充シリンダーを取り付け、一体になるようにほぞ補充シリンダー、ほぞプレスプレートと元のグラウンドビームのスチールフレームを結び付ける。型枠を押し付け、型内にコンクリートを入れ、屑米ほぞをほぞ補充シリンダーに補充し、振動棒によってタッピングし、ほぞ止めルーズリーフを取り付ける。振動棒によって全負荷になるまでコンクリートをタッピングする。
【００２６】
すべての施工が竣工された後、支点は元の位置に戻り、乾燥収縮されている合板を取り出す。支点のほぞプレスプレートの下端で各点に沿って遊離グランドとリングガーダーとの間の接続を切断機で切断し、ベアリングポイント全体をベアリングポイントの押圧結合されたほぞに移動させる。切断する時は、セグメント別に切断点に同じ厚さのスチールバーが充填され、竣工された後、ベアリングポイントの移動による大きな変位を防ぐためにセグメント別にスチールバーが取り出される。これにより、建物全体が押圧結合されたほぞとともに地震に伴う場合、縦方向と横方向に移動し、ほぞを補うことができる。
【００２７】
中高層旧築の免震救済
逆向きほぞ１０の技術プロセスは以下の通りである。図６１及び図６３に従って、片面枠及び片面ほぞ収納台を予め作る。片面枠は内面は滑らかで外面は粗く、露出鉄筋を保留し、片面ほぞ収納台の内側と外側の表面はいずれも滑らかである。
遊離グランドを再建し、遊離グランドは地面と接触することができるし、地面と接触することなく設置することもできる。しかし、高すぎない必要がある。地面と接触する遊離グランドはコンクリートグランドで大丈夫であり、地面と接触しない遊離グランドはスチールフレームのコンクリートで鋳造でなければならない。左右の長さは地震横波の移動や建物の支持に十分なスペースでなければならない。
【００２８】
非衝撃型壁掘削機によって遊離グランドの上の耐力壁で穴を開け、壁ベースで分割線を切り、壁の内外を通じる。下側の壁の穴は遊離グランドと約１０ｃｍの落差を保ち、必要な数と位置は設計に合わせて設定すべきである。分割線を切断するとともに、セグメントごとに同じ厚さの鋼片を埋め込み、埋め込み工程が終了した後に、余分な露出部分を切断機で切断する。切断線と遊離グランドとの間に落差がない。
【００２９】
片面枠を設計位置に移入し、新しいグラウンドビームの鉄筋スチールフレームを結び、内側及び外側のグラウンドビームの接続用鉄筋を壁の穴に充填し、鉄筋スチールフレーム及び保留露出鉄筋と結ぶ。型枠を架設して置き、型内の地面に膨張した合板を敷き、プラスチックフィルムを覆う。壁の穴を湿らせ、純粋なセメントペーストを絞り、全負荷になるまでに型内にコンクリートを入れる。片面枠内に大豆ほぞから屑米ほぞまでのいずれのサイズに関する符号がつけられていない、ほぞを入れる。振動棒によってほぞ層とコンクリートををタッピングする。粟米ほぞをフレーム内の周囲に一回り追加する。ほぞ収納台をフレーム内に移動し、前に追加されたのほぞと同じ直径の非標準ほぞをつぼの中に追加する。グラウンドビームのコンクリートを追加し、全負荷になるまで振動棒によってタッピングする。振動棒によってつぼの中のほぞをタッピングし、ほぞカバープレートを覆う。ほぞカバープレートの上のスペースには、より多くのほぞを保管するか又は植木鉢のような装飾を置いて地震の縦波があるときの圧力の強さと複合風力の場合の圧力の浸透を高めることができる。つぼの急激な上昇に起因するほぞの流失を防ぐために、ほぞ収納台のフレームと壁の視点にはほぞの増加に対する制限がある。
【００３０】
グラウンドビームが竣工された後、乾燥収縮されている合板を取り出す。頻発風や低頻度地震の到来時には、風力トルクによって複合風力が本館を築き上がり、適時にほぞを耐力壁と新しいグラウンドビームの下の位置に滑って入り込み、地震波の到来に滑り構造体を事前に供給する。壁やウォールスカートによるベアリングは、中高層建物や高層建物に適する。
【００３１】
逆向きほぞ１１の技術プロセスは以下の通りである。図７０及び図７１に従って、四辺枠及び四辺ほぞ収納台を予め作る。同様に内側は滑らかな面であり、外側は粗い面であり、露出鉄筋を保留し、ほぞ収納台の内側と外側の表面はいずれも滑らかである。
非衝撃型壁掘削機によって新しく建てられた遊離グランド上に必要に応じて壁の穴を開け、建物及び基礎の仕切り線を切る。下の壁の穴と仕切り線の間の落差は約１０ｃｍであり、切断線には同時に元と同じ厚さの鋼片を埋め込むべきである。埋め込み工程が終了された後に、露出した鋼片を切断する。分割線と遊離グランドとの間には落差がない。
【００３２】
四辺枠を設計位置に移入し、型枠を架設して置き、膨張した合板を型の底に広げ、プラスチックフィルムを覆う。新しいグラウンドビームの鉄筋を結び、内外のグラウンドビームを連結する鉄筋を壁の掘削孔に詰め保留露出鉄筋及びグラウンドビームスチールフレームと結ぶ。壁の掘削孔を湿らせ、純粋なセメントペーストを絞り、型枠にコンクリートを入れ、必要に応じて四辺枠内に粟米ほぞを除くいずれの一種の非標準ほぞを追加する。振動棒によってほぞ層とコンクリートををタッピングし、ほぞ層の周囲に粟米ほぞを一回り追加する。ほぞ収納台をフレーム内に移入し、いっぱいになるまで前のほぞと同じ直径の非標準ほぞを追加する。型枠内にコンクリートを補充し、全負荷になるまで振動棒によって振動した後、全負荷になるまで振動棒によってつぼの中のほぞをタッピングし、ほぞカバープレートを覆う。ほぞカバープレートの上のスペースには、より多くの予備ほぞ又は植木鉢のような装飾を置くことができる。ほぞ収納台の上と壁の視点にはほぞの増加に対する制限があって、縦波の剥離力を滑りほぞに返す。竣工された後、合板を取り出す。
【００３３】
逆向きほぞ１０と同様に、複合風力は地震波の到来前に風力トルクによって滑りほぞを新しいグラウンドビームの下の位置に入り込む。ウォールスカートの耐荷重の新しいグラウンドビームは、逆向きほぞ１０よりもほぞの滑り量が多い。
逆向きほぞ１２及び１３の技術プロセスは以下の通りである。上記の逆向きほぞ１０或いは１１におけるが改造は、室内にベアリング柱があるが壁の耐荷重がない場合は、ベアリング柱を再建すべきである。図５９又は図６０に示すように、新しい内外遊離グランドを建てた後、同様にベアリング柱の周囲及びコラム間又はコラムと壁との間で建てられた遊離グランドを連結し、ベアリング柱に対して角度噛み合いの円形又は長方形のほぞ収納シリンダーを作る。ベアリングコラムの四隅に深さ１０ｃｍの穴を開け、円形又は長方形の金型を作る。金型の内側は主にガラス繊維強化プラスチックで作られる。高い滑りさ以外に、型を保つことができる。ほぞシリンダーの壁の高さは１０ｃｍ以上であり、シリンダーの底にはほぞを投げるための端があり、シリンダーの高さはコラムの高さの９０−９５％である。
【００３４】
まず、ベアリング柱の分割線を切断し、鋼片を埋め込み、余分な部分を切り取る。内型を配置してコラムシリンダーに固定し、膨張した合板を金型の底部に置き、フィルムを覆う。円形又は長方形のほぞシリンダーのスチールフレームを結ぶ。掘削穴に集束水を入れ、純粋なセメントペーストを壁の穴に入れ、鉄筋を詰め込み、ほぞの鉄筋スチールフレームと結び、ほぞを投げるための端で外側の金型を覆う。外側の金型は、上部と下部に分けてそれぞれ接続されることができる。
【００３５】
まず高い所から同じ規格のほぞを金型コアに入れ、次に高い所から下へコンクリートを金型に入れる。まずほぞ層を振動させ、次にコンクリートを振動させて要件を満たす。次に、コラム間やコラムと壁との間で建てられた遊離グランドに膨張した合板を覆い、フィルムを覆い、型板で囲んで、移動中の建物や基礎の変形を伝達するためにベアリングなしで接続されたグラウンドビームを鋳造する。竣工された後、乾燥収縮されている合板を取り出す。
【００３６】
高層建物の分離的な浸透
逆向きほぞ１４の技術プロセスは以下の通りである。高層建物の遊離グランドの周囲は、図７９に示す設計における傾斜で高さの差を高めて、風力トルクにおける本館の滑りを防止する。図８１における本館の複合垂直力は複合風力の侵入を相殺し、建物の基礎の構造空間を促進し、ほぞの侵入を加速する。図８２に示すように、複合風力が停止した後、複合垂直力はセルフ平衡になる。
【００３７】
図８３に示す津波潮汐による推進後の変位は、複合垂直力の平衡中で回帰される。建物は、滑り止め斜面の助けで災害中で移動し、ほぞの増加と移動及び垂直力の回帰を得る。本館の耐風性及び耐震性のために、恒久的なサイクルリザーブを提供する。
【００３８】
上記の補充ほぞの直径は、要件に応じて調整できる。
地震を防ぐためには、体に合わせて服を作る仕立て屋のように「建てる」のだけではなく、症状を当てて処方を决める医者のように「震する」べきである。地震波には、縦波、横波、建物の亀裂が含まれ、本館が自体で外力に抵抗することであり、作用力と反作用力の対決である。地震に抵抗する唯一の正しい方法は、検索機構によって何度も拒否された「さまざまな災害に応じて選択する」ことである。
【００３９】
大きな直径のほぞは大きな縦波と大きな横波を消化することができ、小さな直径のほぞは小さな地震波を捕えるに助けが大きいが、大きな横波を解決するにはほとんど役に立たない。同じ規格のほぞにとって、高い震度の地震であるほどかえって分解されやすい。ほぞ滑りにおける地震波の反比伝導、及び地震の予測不可ち事前測定不可は、災害に応じて選択することにいくつかの困難をもたらす。本発明のほぞなし補充メカニズムにおけるの直径の小さいほぞを最初に使用し、次に直径の大きいほぞを使用するツーラインほぞ補充メカニズムと、補充メカニズムにおけるほぞの後に補充するほぞの量の調整可能と直径の調整可能は、さまざまな災害に対して適切に選択し、大きい、小さい、縦方向と横方向の波を捕える方法を提供することで、耐震効果を永遠に持続させ、揺れが強いほど免震の機能は強くなる。
【００４０】
体に合わせて服を作らないと違和感を感じさせるが、服を着ないと凍死する。さまざまな災害に対して適切に選択することは難しいですが、選択しないと財産や命を失う恐れがある。本発明は建築史における質的な飛躍であり、建築界が避けられないという事実である。地震、津波、強風の中に住んでいる人々が選ばなければならないという選択である。
【図１】
2019521267.tif 000003
【図２】
2019521267.tif 000004
【図３】
2019521267.tif 000005
【図４】
2019521267.tif 000006
【図５】
2019521267.tif 000007
【図６】
2019521267.tif 000008
【図７】
2019521267.tif 000009
【図８】
2019521267.tif 000010
【図９】
2019521267.tif 000011
【図１０】
2019521267.tif 000012
【図１１】
2019521267.tif 000013
【図１２】
2019521267.tif 000014
【図１３】
2019521267.tif 000015
【図１４】
2019521267.tif 000016
【図１５】
2019521267.tif 000017
【図１６】
2019521267.tif 000018
【図１７】
2019521267.tif 000019
【図１８】
2019521267.tif 000020
【図１９】
2019521267.tif 000021
【図２０】
2019521267.tif 000022
【図２１】
2019521267.tif 000023
【図２２】
2019521267.tif 000024
【図２３】
2019521267.tif 000025
【図２４】
2019521267.tif 000026
【図２５】
2019521267.tif 000027
【図２６】
2019521267.tif 000028
【図２７】
2019521267.tif 000029
【図２８】
2019521267.tif 000030
【図２９】
2019521267.tif 000031
【図３０】
2019521267.tif 000032
【図３１】
2019521267.tif 000033
【図３２】
2019521267.tif 000034
【図３３】
2019521267.tif 000035
【図３４】
2019521267.tif 000036
【図３５】
2019521267.tif 000037
【図３６】
2019521267.tif 000038
【図３７】
2019521267.tif 000039
【図３８】
2019521267.tif 000040
【図３９】
2019521267.tif 000041
【図４０】
2019521267.tif 000042
【図４１】
2019521267.tif 000043
【図４２】
2019521267.tif 000044
【図４３】
2019521267.tif 000045
【図４４】
2019521267.tif 000046
【図４５】
2019521267.tif 000047
【図４６】
2019521267.tif 000048
【図４７】
2019521267.tif 000049
【図４８】
2019521267.tif 000050
【図４９】
2019521267.tif 000051
【図５０】
2019521267.tif 000052
【図５１】
2019521267.tif 000053
【図５２】
2019521267.tif 000054
【図５３】
2019521267.tif 000055
【図５４】
2019521267.tif 000056
【図５５】
2019521267.tif 000057
【図５６】
2019521267.tif 000058
【図５７】
2019521267.tif 000059
【図５８】
2019521267.tif 000060
【図５９】
2019521267.tif 000061
【図６０】
2019521267.tif 000062
【図６１】
2019521267.tif 000063
【図６２】
2019521267.tif 000064
【図６３】
2019521267.tif 000065
【図６４】
2019521267.tif 000066
【図６５】
2019521267.tif 000067
【図６６】
2019521267.tif 000068
【図６７】
2019521267.tif 000069
【図６８】
2019521267.tif 000070
【図６９】
2019521267.tif 000071
【図７０】
2019521267.tif 000072
【図７１】
2019521267.tif 000073
【図７２】
2019521267.tif 000074
【図７３】
2019521267.tif 000075
【図７４】
2019521267.tif 000076
【図７５】
2019521267.tif 000077
【図７６】
2019521267.tif 000078
【図７７】
2019521267.tif 000079
【図７８】
2019521267.tif 000080
【図７９】
2019521267.tif 000081
【図８０】
2019521267.tif 000082
【図８１】
2019521267.tif 000083
【図８２】
2019521267.tif 000084
【図８３】
2019521267.tif 000085
【国際調査報告】
2019521267.tif 000086
2019521267.tif 000087
2019521267.tif 000088
2019521267.tif 000089